(57)【要約】【課題】本発明の課題は、携帯電子機器において再生される動画や音楽をより楽しむことができ、さらに、汎用性の向上や製造コストを低くすることができる携帯電子機器用スタンドを提供することである。【解決手段】携帯電子機器用スタンド１は、板状部材１０の後面に板状部材２０を貼り合せてなり、映像面とスピーカーを備えた携帯電子機器の全体を収容可能な収容空間１７が設けられる。板状部材１０の前面には、携帯電子機器のスピーカーから出力された音を前方に向ける音用開口部１１ａ、１１ｂと携帯電子機器の映像面が露出する映像面用開口部１３が設けられる。収容空間１７と音用開口部１１ａ、１１ｂは連通し、収容空間１７に携帯電子機器を収容した状態で、映像面用開口部１３を介して携帯電子機器の映像面が視認可能になる。【選択図】図１
2020074647.tif 000002
【特許請求の範囲】
【請求項１】
第一の板状部材の後面に第二の板状部材を貼り合せてなり、映像面とスピーカーを備えた携帯電子機器の全体を収容可能な収容空間が内部に設けられ、
前記第一の板状部材の前面には、携帯電子機器のスピーカーから出力された音を前方に向ける音用開口部と携帯電子機器の映像面を露出させる映像面用開口部が設けられ、
前記収容空間と前記音用開口部は連通し、
前記収容空間に携帯電子機器を収容した状態で、前記映像面用開口部を介して携帯電子機器の映像面が視認可能であり、
端面に、前記収容空間に携帯電子機器を出し入れ可能とする携帯電子機器出入用開口部が設けられる、携帯電子機器用スタンド。
【発明の詳細な説明】
【技術分野】
【０００１】
本発明は、携帯電子機器用スタンドに関し、特に、電力を必要としない携帯電子機器用スタンドに関する。
【背景技術】
【０００２】
従来、携帯電子機器から出力された音波のサウンドホールを備えた携帯電子機器用スタンドが知られている（例えば、特許文献１）。
【先行技術文献】
【特許文献】
【０００３】
【特許文献１】特開２０１５−９５１６
【発明の概要】
【発明が解決しようとする課題】
【０００４】
特許文献１に示す携帯電子機器用スタンドは、携帯電子機器から出力される音を拡音する構造を有するものの、携帯電子機器において再生される動画をより楽しむことができる構造ではない。
【０００５】
また、特許文献１に示す携帯電子機器用スタンドは、携帯電子機器から出力される音を音波路に導くためのサウンドホールが必要となるため、サウンドホールの位置をスマートフォンのスピーカーの位置に合せる必要があり汎用性の低下や製造コストが高くなるという問題もある。
【０００６】
本発明はこのようなことに鑑みなされたものであり、本発明の課題は、携帯電子機器において再生される動画や音楽をより楽しむことができ、さらに、汎用性の向上や製造コストを低くすることができる携帯電子機器用スタンドを提供することである。
【課題を解決するための手段】
【０００７】
上記目的は、板状部材（１０）の後面に板状部材（２０）を貼り合せてなり、映像面とスピーカーを備えた所定の大きさの携帯電子機器の全体を収容可能な収容空間（１７）が設けられ、
前記板状部材（１０）の前面には、携帯電子機器のスピーカーから出力された音を前方に向ける音用開口部（１１ａ、１１ｂ）と携帯電子機器の映像面が露出する映像面用開口部（１３）が設けられ、
前記収容空間（１７）と前記音用開口部（１１ａ、１１ｂ）は連通し、
前記収容空間（１７）に携帯電子機器を収容した状態で、前記映像面用開口部（１３）を介して携帯電子機器の映像面が視認可能になる、携帯電子機器用スタンド（１）、によって達成される。
【０００８】
また、上記目的は、端面に、前記収容空間に携帯電子機器を出し入れ可能とする開口部（１５）が設けられる、上記に記載の携帯電子機器用スタンド（１）、によって達成される。
【０００９】
また、上記目的は、板状部材（１０）と第二の板状部材（２０）は、異なる種類の木材で構成される、上記に記載の携帯電子機器用スタンド（１）、によっても達成される。
【発明の効果】
【００１０】
本発明によれば、携帯電子機器において再生される動画を楽しむことができつつも汎用性の向上や製造コストを低くすることが可能な携帯電子機器用スタンドを提供できる。
【図面の簡単な説明】
【００１１】
【図１】本発明の実施形態による携帯電子機器用スタンド１を説明する図である。
【図２】本発明の実施形態による携帯電子機器用スタンド１の分解図である。
【図３】本発明の実施形態による携帯電子機器用スタンド１の設置角度を調整可能な角度調整スタンド１００を説明する図である。
【図４】本発明の実施形態による携帯電子機器用スタンド１の設置角度を調整可能な角度調整スタンド１００を説明する図である。
【図５】本発明の実施形態による携帯電子機器用スタンド１の設置角度を調整可能な角度調整スタンド１００を説明する図である。
【発明を実施するための形態】
【００１２】
以下、図１〜図５を用いて、本発明の実施形態の携帯電子機器用スタンド１及び角度調整スタンド１００を説明する。なお、以下の全ての図面においては、理解を容易にするため、各構成要素の寸法や比率などは適宜異ならせて図示している。
【００１３】
図１は、本発明の実施形態による携帯電子機器用スタンド１及び角度調整スタンド１００の外観図である。図１（ａ）は、携帯電子機器用スタンド１を角度調整スタンド１００に載置した状態を右斜上前方から見た外観斜視図であり、図１（ｂ）は、携帯電子機器用スタンド１を角度調整スタンド１００に載置した状態を右上後方から見た外観斜視図である。
【００１４】
携帯電子機器用スタンド１は、略直方体の板状部材１０と略直方体の板状部材２０で構成され、板状部材１０の後面に板状部材２０の前面を接着剤等で貼り合わせることで形成される。板状部材１０及び板状部材２０には、木材が用いられる。好ましくは、無垢材が用いられるのがよいが、集成材を用いてもよいし、木材以外の材料（例えば、金属や合成樹脂）を用いてもよい。また、板状部材１０と板状部材２０の木材の種類を異ならせてもよい。例えば、開口部などの加工が必要となる板状部材１０には、加工のしやすい無垢材や集成材を用い、開口部などの加工を必要としない板状部材２０には、重硬な無垢材や集成材を用いてもよいし、その反対であってもよい。また、板状部材１０や板状部材２０に木材や金属や合成樹脂を組み合わせてもよい。また、板状部材１０や板状部材２０は、略立方体の板状部材であってもよいし、少なくとも一つの面が略半球体や半楕円体となる板状部材であってもよい。
【００１５】
板状部材１０の前面の中央部に、開口部１３、１３ａが設けられる。開口部１３、１３ａは、スマートフォンや携帯情報端末等の携帯電子機器の映像面とホームボタンの形状や位置にあわせて設けられる。開口部１３の左上方に開口部１１ａが設けられ、開口部１３の右上方に開口部１１ｂが設けられる。開口部１１ａ、１１ｂは、携帯電子機器から出力された音波の方向を前方に向けるための開口部である。本実施の形態においては、開口部１１ａ、１１ｂを形成する壁面は、板状部材１０の前面に対して垂直な方向に延在しているが、前方に向けて広がるように傾斜してもよいし、前方に向けて狭まるように傾斜してもよい。また、所定の位置（例えば、前方１ｍの位置）に向けて音波を集めるように傾斜させてもよい。
【００１６】
携帯電子機器用スタンド１の上端には、携帯電子機器を出し入れするための開口部１５が設けられる。開口部１５は、板状部材１０を上端から見て凹状に形成することで設けられる。また、携帯電子機器用スタンド１の左端には、携帯電子機器に電力を供給するコードを出し入れするための開口部１４が設けられ、携帯電子機器用スタンド１の下端には、携帯電子機器のボリュームや電源ボタンを操作するための開口部１６が設けられる。なお、開口部１５には、収容した携帯電子機器が容易に飛び出さないようにするためのストッパー機構が備えられてもよいし、板状部材２０の前面に少なくとも一つの板バネを設けることで、携帯電子機器
【００１７】
次いで、図２を用いて、携帯電子機器用スタンド１の内部構造を説明する。図２（ａ）は、板状部材１０を後方から見た外観図であり、図２（ｂ）は、板状部材２０を前方から見た外観図である。図１（ｂ）及び図２（ｂ）に示すように、板状部材２０には音道や開口部等が設けられていない。携帯電子機器用スタンド１の内部に携帯電子機器の全体を覆い収容する構造であるため、板状部材２０に音道を設けなくても携帯電子機器から出力された音波が効率的に前方に向けて反射され、かつ後述する収容空間１７や連通空間１７ａ、１７ｂや音響空間１７ｃ、１７ｄ、及び開口部１１ａ、１１ｂを介して前方に拡音あるいは集音されるからである。
【００１８】
図２（ａ）における点線部分は、スマートフォン２００の収容領域である収容空間１７の領域を示している。図２に示すように板状部材１０の中央領域を切削加工することで区画形成し、板状部材１０と板状部材２０を貼り合わせることで収容空間１７、連通空間１７ａ、１７ｂ、音響空間１７ｃ、１７ｄが形成される。収容空間１７の右上方に開口部１１ｂを形成するための貫通孔が設けられ、収容空間１７の左上方に開口部１１ａを形成するための貫通孔が設けられる。収容空間１７の左右隣りに形成される連通空間１７ａ、１７ｂは、収容空間１７と開口部１１ａ、１１ｂを連通させるための空間である。収容空間１７の前方には開口部１３を形成するための貫通孔が設けられる。また、収容空間１７及び開口部１３の大きさや形状や位置は、一般的に販売されている映像面とスピーカーを備えた携帯電子機器（例えば、特定機種のスマートフォン）に併せて形成されてもよい。
【００１９】
連通空間１７ａの左隣りに形成される音響空間１７ｃ及び連通空間１７ｂの右隣りに形成される音響空間１７ｄは、音の共鳴を起こすための空間である。音響空間１７ｃは、開口部１１ａの下方に設けられ、連通空間１７ａを介して開口部１１ａと連通する。同様に、音響空間１７ｄは、開口部１１ｂの下方に設けられ、連通空間１７ｂを介して開口部１１ｂと連通する。また、開口部１１ａ、１１ｂと連通空間１７ａ、１７ｂとの接続面１７ｅ、１７ｆを小さくしている（具体的には、接続面１７ｅ、１７ｆの縦の長さを開口部１１ａの周囲の長さを１とした場合に１／３〜１／１５となるようにする）。このように、スマートフォン２００から出力された音波が開口部１１ａ、１１ｂに到達し難くすることで音響効果を高めている。また、外部から音響空間１７ｃ、１７ｄに様々な形状をした木片を設置することで音響空間１７ｃ、１７ｄの形や大きさを変更可能にし、音響をアレンジ可能とするようにしてもよい。
【００２０】
開口部１３は、収容するスマートフォン２００の映像面と略同じ大きさとすることで、スマートフォン２００の下端部や上端部に設けられたスピーカーの大部分が板状部材１０によって覆われるようにする。このようにすることで、効率的に、スマートフォン２００のスピーカーから出力された音が板状部材１０と板状部材２０を反射し、連通空間１７ａ、１７ｂや音響空間１７ｃ、１７ｄ、及び開口部１１ａ、１１ｂを介して、前方に向けて拡音や集音される。
【００２１】
図３を用いて角度調整スタンド１００を説明する。角度調整スタンド１００は、携帯電子機器用スタンド１の設置角度を調整するためのスタンドである。図３（ａ）は、角度調整スタンド１００を右上前方から見た外観斜視図であり、図３（ｂ）は、角度調整スタンド１００の右側面図である。角度調整スタンド１００は、略正方形の板状をした土台１０３と略直方体形状をした台１０１と棒形状をした調整棒１０５ａ〜１０５ｄとを備え、土台１０３の上面に台１０１と調整棒１０５ａ〜１０５ｄが設けられる。
【００２２】
図３（ｂ）に示すように、調整棒１０５ａ、１０５ｃの高さと調整棒１０５ｂ、１０５ｄの高さを異ならせている。また、調整棒１０５ａと調整棒１０５ｂの間隔と調整棒１０５ｂと調整棒１０５ｃの間隔を略同一にし、調整棒１０５ｃと調整棒１０５ｄの間隔を狭くしている。このように調整棒１０５ａ〜１０５ｄを配置することで、携帯電子機器用スタンド１を少なくとも６段階において角度調整が可能となる。
【００２３】
図４は、角度調整スタンド１００に携帯電子機器用スタンド１を設置した状態の右側面図である。図４（ａ）は、携帯電子機器用スタンド１のスタンダードの状態を示している。調整棒１０５ｃ、１０５ｄに携帯電子機器用スタンド１の下端部を載置し、携帯電子機器用スタンド１の後部を台１０３にもたれかけるように設置している。図４（ｂ）は、携帯電子機器用スタンド１を５段階の角度（スタンダードの状態も含む）で設置した状態を示している。
【００２４】
図５は、角度調整スタンド１００を用いて携帯電子機器用スタンド１を斜め下方向に向けて設置した状態を示している。図５（ａ）は、角度調整スタンド１００に携帯電子機器用スタンド１を設置した状態を右上後方から見た外観斜視図である。図５（ｂ）は、角度調整スタンド１００に携帯電子機器用スタンド１を設置した状態の右側面図である。図５に示すように、携帯電子機器用スタンド１を斜め下方向に向けて設置するために、コの字状に形成された引っかけ部１１０と紐１１１を用いる。なお、角度調整スタンド１００は、携帯電子機器用スタンド１に用いないで、直接的にスマートフォン等の携帯電子機器の設置角度を調整するために用いてもよい。
【００２５】
このように、本発明の実施形態の携帯電子機器用スタンド１及び角度調整スタンド１００によれば、少なくとも以下の効果を奏する。
（１）携帯電子機器用スタンド１は、板状部材１０と板状部材２０を貼り合わせ、携帯電子機器の全体を収容する収容空間１７を内部に設けることで、スピーカーの位置が異なる様々な携帯電子機器に対応可能であり、汎用性が高い。
（２）携帯電子機器用スタンド１は、板状部材１０と板状部材２０を貼り合わせ、携帯電子機器の全体を収容する収容空間１７を内部に設けることで、板状部材２０に音道を設けなくても効率的に携帯電子機器から出力された音波を前方に向けることが可能となり、製造コストを低くすることができる。
（３）携帯電子機器用スタンド１は、板状部材１０に携帯電子機器の映像面を視認するための開口部１３が設けられるため、携帯電子機器において再生される動画をより楽しむことができる（携帯電子機器の映像面の外側の情報が板状部材１０によって遮断されるため動画に没入しやすくなる）。
（４）携帯電子機器用スタンド１は、音響空間１７ｃ、１７ｄが連通空間１７ａ、１７ｂを介して開口部１１ａ、１１ｂに連通させることや開口部１１ａ、１１ｂと連通空間１７ａ、１７ｂとの接合面を小さくすることで、音響効果を高めている。
（５）携帯電子機器用スタンド１は、携帯電子機器を収容した状態で持ち運びすることができるため、様々な場所に容易に持ち運び、使用することができる（例えば、防水加工を施すことで風呂場での使用、パソコン等の作業を行うデスクでの使用、寝室での使用、野外での使用等）。
（６）携帯電子機器用スタンド１に角度調整スタンド１００を用いることで、携帯電子機器の角度が調整可能となるため、使用状態に併せて携帯電子機器で再生される動画や音楽を楽しむことができる。
【００２６】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【産業上の利用可能性】
【００２７】
本発明は、携帯電話機、スマートフォン、音楽再生プレーヤー、タブレット、ノートパソコン等の携帯電子機器用スタンドやＡＩスピーカー用スタンドにおいて広く利用可能である。
【符号の説明】
【００２８】
１  携帯電子機器用スタンド
１０、２０  板状部材
１１ａ、１１ｂ、１３、１３ａ、１４、１５、１６  開口部
１７  収容空間
１７ａ、１７ｂ  連通空間
１７ｃ、１７ｄ  音響空間
１７ｅ、１７ｆ  接続面
１００  角度調整スタンド
１０１  台
１０３  土台
１０５ａ〜１０５ｄ  調整棒
１１０  引っかけ部
１１１  紐
【図１】
2020074647.tif 000003
【図２】
2020074647.tif 000004
【図３】
2020074647.tif 000005
【図４】
2020074647.tif 000006
【図５】
2020074647.tif 000007